(57)【要約】【課題】フロントモニターに入射される光ビームの光量を高精度、かつ、容易に調整して、光ピックアップ装置のレーザーパワーを高精度に制御する。【解決手段】レーザー光源１と、光ビームを光ディスク９に集光照射する光学系と、光ビームの一部をモニターしてレーザーパワーを検出するフロントモニター４と、フロントモニターの検出結果に基づいてレーザーパワーを制御する制御系とを備えた光ピックアップ装置において、フロントモニター４とレーザー光源１との間に、フロントモニター４に入射される光ビームの光量を調整するために、光透過率が調整されたフィルター１０が配置されている。【選択図】　　図１
2004039062.tif 000002
【特許請求の範囲】
【請求項１】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間にフィルターが配置され、該フィルターの光透過率によって、該フロントモニターに入射される光ビームの光量が調整されている光ピックアップ装置。
【請求項２】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間に、該光ビームの一部を反射してフロントモニターに入射させるマイクロミラーが配置され、該マイクロミラー表面の光反射率によって、該フロントモニターに入射される光ビームの光量が調整されている光ピックアップ装置。
【請求項３】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニター受光部表面の光透過率によって、該フロントモニターに入射される光ビームの光量が調整されている光ピックアップ装置。
【請求項４】
前記マイクロミラー表面または前記フロントモニター受光部表面に、該マイクロミラー表面の光反射率または該フロントモニター受光部表面の光透過率を調整するための皮膜が設けられている請求項２または請求項３に記載の光ピックアップ装置。
【請求項５】
前記マイクロミラー表面または前記フロントモニター受光部表面に、部分的な皮膜が設けられ、皮膜形成部分と皮膜非形成部分との面積比率によって、該マイクロミラー表面の光反射率または該フロントモニター受光部表面の光透過率が調整されている請求項２または請求項３に記載の光ピックアップ装置。
【請求項６】
前記マイクロミラー表面または前記フロントモニター受光部表面に設けられた皮膜は、前記フロントモニターに入射される光ビームの光量に応じて着色されている請求項４または請求項５に記載の光ピックアップ装置。
【請求項７】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間に集光レンズが配置され、該集光レンズの配置位置によって、該フロントモニターに入射されるレーザー光の光量が調整されている光ピックアップ装置。
【請求項８】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間に、その先端部が薄板状に形成されたビスが、該薄板状先端部に光が照射されるように配置され、該薄板状先端部の配置角度および配置高さによって、該フロントモニターに入射される光ビームの光量が調整されている光ピックアップ装置。
【請求項９】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間にアパーチャーが配置され、該アパーチャーの開口形状および配置位置によって、該フロントモニターに入射される光ビームの光量が調整されている光ピックアップ装置。
【請求項１０】
レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、
該フロントモニターとレーザー光源との間に接着剤注入部が設けられ、該接着剤注入部から注入された接着剤の量によって、該フロントモニターに入射される光ビームの光量が調整されている光ピックアップ装置。
【請求項１１】
前記接着剤は、前記フロントモニターに入射される光ビームの光量に応じて種類が異なっている請求項１０に記載の光ピックアップ装置。
【発明の詳細な説明】
【０００１】
【発明の属する技術分野】
本発明は、ＤＶＤ、ＣＤ等の光ディスクに対して情報の読み取り・書き込みを行うために用いられる光ピックアップ装置に関し、特に、フロントモニター方式によってレーザー光源から出射される光ビームの光量を検出して、レーザーパワーを制御することが可能な光ピックアップ装置に属する。
【０００２】
【従来の技術】
従来から、光ピックアップ装置に用いられている半導体レーザーにおいては、温度変動、経年変化等によって出射されるレーザーパワーが変動する。このため、ＡＰＣ（Ａｕｔｏ　Ｐｏｗｅｒ　Ｃｏｎｔｒｏｌ）回路によりレーザーパワーを制御することによって、光ディスク等の情報記録媒体に対して照射される光ビームのパワーレベルの安定化が図られている。このようなＡＰＣ回路の代表的なものとして、リアモニター方式（内部モニタ方式）のＡＰＣ回路とフロントモニター方式（外部モニタ方式）のＡＰＣ回路とが挙げられる。
【０００３】
リアモニター方式は、半導体レーザーの光出射側端面とは反対側の端面に設けられたモニターによって、その反対側の端面から出射された光ビームをモニターする方式であるため、レーザーパワーの検出精度が低くなる等の問題がある。このため、より一般的には、フロントモニター方式が採用されている。フロントモニター方式は、半導体レーザーの光出射側端面から出射される光ビームを反射ミラー等を用いて分岐し、分岐された光ビームの一部をフロントモニターによってモニターして、モニター結果を半導体レーザーの駆動回路にフィードバックすることによって、光ビームのパワーを一定に保つように制御する方式である。
【０００４】
図７（ａ）は、フロントモニター方式の光ピックアップ装置の基本的な構造を示す上面図であり、図７（ｂ）は図７（ａ）の側面図である。
【０００５】
この光ピックアップ装置７００は、半導体レーザー等のレーザー光源１と、レーザー光源１から出射される光ビームをＤＶＤ、ＣＤ等の光ディスク９に集光照射するための光学系と、レーザー光源１から出射される光ビームの一部をモニターしてレーザーパワーを検出するフロントモニター４と、フロントモニター４の検出結果に基づいてレーザー光源１の駆動制御を行う制御系とによって構成されている。
【０００６】
この光ピックアップ装置７００において、レーザー光源１から出射されたレーザー光は、回折格子２によって回折されて光ディスク９から記録情報を読み取るための主ビームと、トラッキングサーボに用いられる副ビームとに分離され、反射ミラー３及びビームスプリッタ５に入射される。
【０００７】
ビームスプリッター５に入射された光ビームは、コリメートレンズ６によって平行光とされ、立上ミラー７によって反射されて対物レンズ８に入射され、光ディスク９に集光照射される。
【０００８】
一方、反射ミラー３にて反射された光ビームは、フロントモニター４に入射され、フロントモニター４では、入射された光によってレーザーパワーが検出される。フロントモニター４によるレーザーパワーの検出結果は、図示しないフィードバック制御系に供給され、フィードバック制御系によって、フロントモニター４の出力レベルが一定になるように、レーザー光源１に供給される電流が制御される。これによって、光ディスク９に入射されるレーザーパワーが一定に保たれるようになっている。なお、この図および以下の図では、光ディスク９の情報記録面によって反射された光を検出して情報を復元する検出系については、図示および説明を省略している。
【０００９】
【発明が解決しようとする課題】
上述したようなフロントモニター方式によってレーザーパワーを一定に保つように制御する従来の光ピックアップ装置では、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量にばらつきが発生する。
【００１０】
これらのばらつきがレーザーパワーの精度に与える影響を低減するために、従来の光ピックアップ装置では、ゲイン調整を行うためのボリューム抵抗を光ピックアップ装置に外付けすることによってゲイン調整を行うことができるようになっているが、量産時には、ボリューム抵抗によって調整可能な範囲を超えるようなばらつきも多い。
【００１１】
また、外付けのボリューム抵抗によってゲイン調整を行う場合には、レーザーパワーを適正範囲に入れることは可能であっても、ボリューム抵抗が光ピックアップ装置の応答速度に影響を及ぼすため、個々の特性にばらつきが生じるという問題もある。
【００１２】
特に、ノートブック型パーソナルコンピューター等に内蔵されるスリムタイプの光ピックアップ装置において、ＣＤ、ＤＶＤ等の光ディスクに対して情報書き込みを行う場合には、レーザーパワーの制御をより高精度に行うことが必要とされるため、上記各構成部材の特性精度および取り付け精度を向上させるために、製造工程での検査を強化する必要があり、製造歩留まり低下、コスト上昇、生産性低下等の要因になっている。
【００１３】
ところで、特開２０００−２１００１号公報には、製造ばらつき、環境変動の影響などを受けにくく、信頼性が高いフロントモニター方式のＡＰＣ回路を用いて、レーザーパワーを制御可能な光ピックアップ装置が提案されている。この従来の光ピックアップ装置では、半導体レーザーから出射された光ビームがコリメートレンズ、グレーティングを介して整形プリズムに入射され、その整形プリズムに設けられたＡＲコートが施されていない反射面で光ビームの一部が反射されて、フロントモニターに入射されるようになっている。ＡＲコートが施されていない反射面では、光反射率は主として光の入射角によって一律に定まるため、常に安定した光量がフロントモニターに入射されるようになる。
【００１４】
しかしながら、この従来の光ピックアップ装置は、製造ばらつき、温度・湿度等の環境変動によって、レーザー光源からの光ビームの一部を反射させてフロントモニターに入射させる反射膜（例えば図７に示す反射ミラー３）の反射率・透過率等の特性が変動することを防ぐためのものである。よって、レーザー光源の光放射特性、レーザー光源から出射された光ビームを反射させる反射ミラーの反射率、光ピックアップ装置を構成する各種部材が取り付けられるハウジングに対する反射ミラーの取り付け状態、フロントモニターの取り付け状態等にばらつきが生じた場合には、フロントモニターに入射される光ビームの光量を調整してレーザーパワーの検出精度を向上させることができない。
【００１５】
本発明は、このような従来技術の課題を解決するためになされたものであり、フロントモニターに入射される光ビームの光量を高精度、かつ、容易に調整して、レーザーパワーを高精度に制御することができる光ピックアップ装置を提供することを目的とする。
【００１６】
【課題を解決するための手段】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間にフィルターが配置され、該フィルターの光透過率によって、該フロントモニターに入射される光ビームの光量が調整され、そのことにより上記目的が達成される。
【００１７】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間に、該光ビームの一部を反射してフロントモニターに入射させるマイクロミラーが配置され、該マイクロミラー表面の光反射率によって、該フロントモニターに入射される光ビームの光量が調整され、そのことにより上記目的が達成される。
【００１８】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニター受光部表面の光透過率によって、該フロントモニターに入射される光ビームの光量が調整され、そのことにより上記目的が達成される。
【００１９】
好ましくは、前記マイクロミラー表面または前記フロントモニター受光部表面に、該マイクロミラー表面の光反射率または該フロントモニター受光部表面の光透過率を調整するための皮膜が設けられている。
【００２０】
好ましくは、前記マイクロミラー表面または前記フロントモニター受光部表面に、部分的な皮膜が設けられ、皮膜形成部分と皮膜非形成部分との面積比率によって、該マイクロミラー表面の光反射率または該フロントモニター受光部表面の光透過率が調整されている。
【００２１】
好ましくは、前記マイクロミラー表面または前記フロントモニター受光部表面に設けられた皮膜は、前記フロントモニターに入射される光ビームの光量に応じて着色されている。
【００２２】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間に集光レンズが配置され、該集光レンズの配置位置によって、該フロントモニターに入射されるレーザー光の光量が調整され、そのことにより上記目的が達成される。
【００２３】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間に、その先端部が薄板状に形成されたビスが、該薄板状先端部に光が照射されるように配置され、該薄板状先端部の配置角度および配置高さによって、該フロントモニターに入射される光ビームの光量が調整され、そのことにより上記目的が達成される。
【００２４】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間にアパーチャーが配置され、該アパーチャーの開口形状および配置位置によって、該フロントモニターに入射される光ビームの光量が調整され、そのことにより上記目的が達成される。
【００２５】
本発明の光ピックアップ装置は、レーザー光源と、該レーザー光源から出射される光ビームを情報記録媒体に集光照射する光学系と、該レーザー光源から出射される光ビームの一部をモニターしてレーザーパワーを検出するフロントモニターと、該フロントモニターの検出結果に基づいて該レーザー光源の駆動制御を行う制御系とを備えた光ピックアップ装置において、該フロントモニターとレーザー光源との間に接着剤注入部が設けられ、該接着剤注入部から注入された接着剤の量によって、該フロントモニターに入射される光ビームの光量が調整され、そのことにより上記目的が達成される。
【００２６】
好ましくは、前記接着剤は、前記フロントモニターに入射される光ビームの光量に応じて種類が異なっている。
【００２７】
以下に、本発明の作用について説明する。
【００２８】
本発明にあっては、フロントモニターとレーザー光源との間に、フィルター、集光レンズ、ビス、アパーチャー、接着剤等を設けることによって、フロントモニターに入射される光ビームの光量を調整することができる。また、フロントモニター受光部表面の光透過率、またはフロントモニターとレーザー光源との間に設けられるマイクロミラー（反射ミラー）表面の反射率を調整することによって、
フロントモニターに入射される光ビームの光量を調整することができる。
【００２９】
特に、レーザー光源とフロントモニターとの間に配設される各種部材を、主として適正なレーザーパワーの設計上のセンター値よりも高めになるように設計しておくことによって、フロントモニターに入射される光ビームの光量を低下させて、容易に調整することができる。
【００３０】
このように、フロントモニターとレーザー光源との間に光量を調整する機構を設けることによって、レーザーパワーをより高精度に制御することが可能となり、その結果、ＣＤ、ＤＶＤ等の光ディスクに対する情報の読み取り・情報の書き込みの精度を向上させることができる。
【００３１】
【発明の実施の形態】
以下に、本発明の実施の形態について、図面に基づいて説明する。なお、以下の図において、図７に示す従来の光ピックアップ装置と同じ機能を有する部分については、同じ符号を付している。
【００３２】
（実施形態１）
図１（ａ）は、本発明の一実施形態であるフロントモニター方式の光ピックアップ装置１００の構成を示す上面図である。
【００３３】
この光ピックアップ装置１００は、半導体レーザー等のレーザー光源１と、レーザー光源１から出射される光ビームをＤＶＤ、ＣＤ等の光ディスク９に集光照射するための光学系と、レーザー光源１から出射される光ビームの一部をモニターしてレーザーパワーを検出するフロントモニター４と、フロントモニター４の検出結果に基づいてレーザー光源１の駆動制御を行う制御系とによって構成されている。
【００３４】
この光ピックアップ装置１００において、レーザー光源１から出射されたレーザー光は、回折格子２によって回折されて光ディスク９から記録情報を読み取るための主ビームと、トラッキングサーボに用いられる副ビームとに分離され、その一部は、反射ミラー３によって反射さる。ビームスプリッター５に入射された光ビームは、コリメートレンズ６によって平行光とされ、立上ミラー７によって反射されて対物レンズ８に入射され、光ディスク９に集光照射される。
【００３５】
反射ミラー３とフロントモニター４との間には、フィルター１０が配置されており、反射ミラー３によって反射された光ビームは、フィルター１０を介してフロントモニター４に入射されるようになっている。フロントモニター４では、入射された光によってレーザーパワーが検出され、図示しないフィードバック制御系によって、フロントモニター４の出力レベルが一定になるように、レーザー光源１に供給される電流が制御される。これによって、光ディスク９に入射されるレーザーパワーが一定に保たれるようになっている。
【００３６】
図１（ｂ）〜（ｄ）は、図１（ａ）の反射ミラー３、フィルター１０およびフロントモニター４部分の一例を示す図である。
【００３７】
図１（ｂ）では、反射ミラー３とフロントモニター４との間に、厚みが薄いフィルター１０が配置されており、フィルター１０の光透過量を調整することによって、フロントモニター４に入射される光ビームの光量を少し減らすことができる。
【００３８】
また、図１（ｃ）では、反射ミラー３とフロントモニター４との間に、厚みが厚いフィルター１０が配置されており、フィルター１０の光透過量が図１（ｂ）に比べて少なくなるため、フロントモニター４に入射される光ビームの光量をさらに減らすことができる。
【００３９】
さらに、図１（ｄ）では、反射ミラー３とフロントモニター４との間に、２枚のフィルター１０が積層配置されており、２枚のフィルター１０の光透過量によって、フロントモニター４に入射される光ビームの光量を減らすことができる。
【００４０】
このように、反射ミラー３とフロントモニター４との間に配置されるフィルター１０の材質、厚み、枚数を調整することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００４１】
（実施形態２）
図２（ａ）は、本実施形態のフロントモニター方式の光ピックアップ装置２００の構成を示す上面図であり、図２（ｂ）〜（ｄ）は、反射ミラー３およびフロントモニター４部分の一例を示す図である。
【００４２】
図２（ｂ）では、反射ミラー３の表面およびフロントモニター４の受光部表面の透明樹脂に、速乾性の樹脂が直接塗布されている。皮膜３ａの光反射率を調整して反射ミラー３の光反射率を調整し、皮膜４ａの光透過率を調整してフロントモニター４の受光部表面の光透過率を調整することによって、フロントモニター４に入射される光ビームの光量を減らすことができる。なお、反射ミラー３の表面およびフロントモニター４の受光部表面の透明樹脂のいずれか一方に皮膜を形成するようにしてもよい。
【００４３】
また、図２（ｃ）では、フロントモニター４の受光部表面の透明樹脂に対して、図に示す左半分の領域だけに樹脂が塗布されて皮膜４ａが形成されており、右半分には樹脂が塗布されていない。このように皮膜４ａが形成されている領域と形成されていない領域との面積比率を調整することによって、フロントモニター４の受光部表面の光透過率を調整して、フロントモニター４に入射される光ビームの光量を調整することができる。
【００４４】
さらに、図２（ｄ）では、反射ミラー３表面に対して、図に示す下半分の領域だけに樹脂が塗布されて皮膜３ａが形成されており、上半分には樹脂が塗布されていない。このように皮膜３ａの形成されている領域と形成されていない領域との面積比率を調整することによって、反射ミラー３表面の光反射率を調整して、フロントモニター４に入射される光ビームの光量を調整することができる。
【００４５】
このように、反射ミラー３表面またはフロントモニター４の受光部表面に設けられる皮膜の材質、形成領域を調整することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００４６】
このような皮膜３ａおよび４ａは、部品取り付け後でも、簡単な作業により容易に形成することができる。また、調整レベルに応じて、塗布される樹脂の色を変えることによって、光ピックアップ装置の量産時にレベルに応じた調整・管理を容易に行うことができる。
【００４７】
（実施形態３）
図３は、本実施形態のフロントモニター方式の光ピックアップ装置３００の構成を示す上面図である。
【００４８】
この光ピックアップ装置３００は、反射ミラー３とフロントモニター４との間に、集光レンズ１１が配置されている。
【００４９】
この集光レンズ１１の配置位置を反射ミラーとフロントモニター４との間で調整することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００５０】
（実施形態４）
図４（ａ）は、本実施形態のフロントモニター方式の光ピックアップ装置４００の構成を示す上面図である。
【００５１】
この光ピックアップ装置４００は、反射ミラー３とフロントモニター４との間に、調整ビス（または調整ピン）１２が配置されている。
【００５２】
図４（ｂ）は、図４（ａ）の調整ビス１２の一例を示す側面図であり、図４（ｃ）は、調整ビス１２の回転角度と遮光領域との関係を説明するための図である。
【００５３】
この調整ビス１２は、ハウジング１３に取り付けられており、調整ビス１２の先端部１２ａは薄板形状に整形されている。
【００５４】
この調整ビス１２は、先端部１２ａによってフロントモニター４に入射される光を遮光することができるため、図４（ｂ）に示すように、調整ビス１２の先端部１２ａの高さを調整することによって、遮光領域の面積を調整してフロントモニター４に入射される光量を調整することができる。例えば、調整ビス１２を浅く挿入して先端部１２ａの高さを高くした場合には、遮光領域が小さくなり、調整ビス１２を深く挿入して先端部１２ａの高さを低くした場合には、遮光領域が大きくなる。
【００５５】
また、図４（ｃ）に示すように、調整ビス１２の先端部１２ａの回転角度を調整することによって、遮光領域の面積を調整してフロントモニター４に入射される光量を調整することができる。例えば、回転角度が０°では調整ビス１２の薄板形状の先端部１２ａが光ビームの進行方向と平行になるため、遮光領域は小さくなり、回転角度が９０°では調整ビス１２の薄板形状の先端部１２ａが光ビームの進行方向と直角になるため、遮光領域は大きくなる。
【００５６】
このように、反射ミラー３とフロントモニター４との間に配置された調整ビス（または調整ピン）１２の回転角度、高さを調整することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００５７】
（実施形態５）
図５（ａ）は、本実施形態のフロントモニター方式の光ピックアップ装置５００の構成を示す上面図である。
【００５８】
この光ピックアップ装置５００は、反射ミラー３とフロントモニター４との間に、アパーチャー１４が配置されている。
【００５９】
図５（ｂ）および（ｃ）は、アパーチャー１４の一例を示す図である。
【００６０】
図５（ｂ）では、小さな開口部１４ａを有するアパーチャー１４が設けられており、遮光部（本体部）が大きいため、フロントモニター４に入射される光ビームの光量を大幅に減らすことができる。
【００６１】
また、図５（ｃ）では、大きな開口部１４ａを有するアパーチャー１４が設けられており、図５（ｂ）に比べて遮光部（本体部）が小さいため、フロントモニター４に入射される光ビームの光量の減少量が図５（ｂ）に比べて少なくなる。
【００６２】
さらに、同じ大きさの開口部１４ａを有するアパーチャー１４であっても、その配置位置を反射ミラーとフロントモニター４との間で左右又は回転調整することによってフロントモニター受光部に対し、アパーチャ−開口面積を調整でき、フロントモニター４に入射される光ビームの光量を調整することができる。
【００６３】
このように、反射ミラー３とフロントモニター４との間に設けられるアパーチャーの開口部形状、配置位置を調整することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００６４】
（実施形態６）
図６（ａ）は、本実施形態のフロントモニター方式の光ピックアップ装置６００の構成を示す上面図である。
【００６５】
この光ピックアップ装置６００は、ハウジング１３に、反射ミラー３とフロントモニター４との間に樹脂（接着剤）を注入するための樹脂注入口１３ａが設けられている。
【００６６】
図６（ｂ）〜図６（ｃ）は、樹脂注入口１３ａから反射ミラー３とフロントモニター４との間に樹脂を注入する工程を説明するための断面図である。
【００６７】
図６（ｂ）に示すようにハウジング１３に設けられた樹脂注入口１３ａから、図６（ｃ）に示すように樹脂（接着剤）１５を注入する。この樹脂を硬化させることによって、図６（ｄ）に示すように遮光部１５が形成され、フロントモニター４に入射される光が遮光され、光量が調整される。
【００６８】
接着剤としては、ＵＶ硬化タイプのものを使用することによって、瞬間的に硬化させることが可能である。また、樹脂注入口１３ａの大きさ、注入量を制御することによって遮光部１５の面積を調整して、フロントモニター４に入射される光量を調整することができる。
【００６９】
このように、反射ミラー３とフロントモニター４との間に設けた樹脂注入口１３ａから樹脂を注入して遮光部１５を形成することによって、フロントモニター４に入射される光ビームの光量を調整することができるため、レーザー光源１の光放射特性、レーザー光源１から出射された光ビームを反射させる反射ミラー３の反射率、光ピックアップ装置を構成する各種部材が取り付けられるハウジングに対する反射ミラー３の取り付け状態、フロントモニター４の取り付け状態等がばらつくことによって、フロントモニター４に受光される光ビームの光量に広範囲のばらつきが発生しても、容易に調整することができる。
【００７０】
このような遮光部１５は、部品取り付け後でも、簡単な作業により容易に形成することができる。また、調整レベルに応じて、樹脂の粘度、色を変えることによって、光ピックアップ装置の量産時にレベルに応じた調整・管理を容易に行うことができる。
【００７１】
【発明の効果】
以上説明したように、本発明によれば、ＤＶＤ、ＣＤ等の光ディスクに対して情報読み取り・情報書き込みを行う際に用いられる光ピックアップ装置において、レーザーパワーを制御するために設けられるフロントモニターとレーザー光源との間に、フィルター、集光レンズ、ビス、アパーチャー、接着剤等を設けることによって、フロントモニターに入射される光ビームの光量を調整することができる。また、フロントモニター受光部表面の光透過率、またはフロントモニターとレーザー光源との間に設けられるマイクロミラー（反射ミラー）表面の反射率を調整することによって、フロントモニターに入射される光ビームの光量を調整することができる。
【００７２】
このように、フロントモニターとレーザー光源との間に、フロントモニターに入射される光ビームの光量を調整するための機構を設けることにより、フロントモニターに入射される光量を容易に理想的な光量とすることができるため、レーザーパワーをより高精度に制御することが可能となり、安価で高性能な光ピックアップ装置を実現することが可能となる。
【図面の簡単な説明】
【図１】（ａ）は、実施形態１の光ピックアップ装置の構成を示す上面図であり、（ｂ）〜（ｄ）は、反射ミラー、フィルターおよびフロントモニター部分の一例を示す側面図である。
【図２】（ａ）は、実施形態２の光ピックアップ装置の構成を示す上面図であり、（ｂ）は、反射ミラーおよびフロントモニター部分の一例を示す側面図であり、（ｃ）は、フロントモニター部分の一例を示す側面図および上面図であり、（ｄ）は、反射ミラー部分の一例を示す側面図および上面図である。
【図３】実施形態３の光ピックアップ装置の構成を示す上面図である。
【図４】（ａ）は、実施形態４の光ピックアップ装置の構成を示す上面図であり、（ｂ）は、調整ビスの一例を示す側面図であり、（ｃ）は、調整ビスの回転角度と遮光領域との関係を説明するための平面図、上面図および側面図である。
【図５】（ａ）は、実施形態５の光ピックアップ装置の構成を示す上面図であり、（ｂ）および（ｃ）は、アパーチャーの一例を示す側面図および上面図である。
【図６】（ａ）は、実施形態６の光ピックアップ装置の構成を示す上面図であり、（ｂ）〜（ｄ）は、樹脂注入口から反射ミラーとフロントモニターとの間に樹脂を注入する工程を説明するための断面図である。
【図７】（ａ）は、従来の光ピックアップ装置の基本的な構造を示す上面図であり、（ｂ）はその側面図である。
【符号の説明】
１　レーザー光源
２　回折格子
３　反射ミラー
４　フロントモニター
５　ビームスプリッタ
６　コリメートレンズ
７　立上ミラー
８　対物レンズ
９　光ディスク
１０　フィルター
１１　　集光レンズ
１２　　整形ビス
１２ａ　　整形ビスの薄板形状の先端部
１３　　ハウジング
１３ａ　　ハウジングの樹脂注入口
１４　　アパーチャー
１４ａ　　アパーチャーの開口部
１５　　接着剤（遮光部）
１００、２００、３００、４００、５００、６００、７００　　光ピックアップ装置
【図１】
2004039062.tif 000003
【図２】
2004039062.tif 000004
【図３】
2004039062.tif 000005
【図４】
2004039062.tif 000006
【図５】
2004039062.tif 000007
【図６】
2004039062.tif 000008
【図７】
2004039062.tif 000009